(57)【要約】【課題】収容したテープから、印刷なしのテープ片を簡単に得ることができる印刷機能付きテープディスペンサーを提供することである。【解決手段】ロール状のテープＴを着脱自在に収容すると共に、装置外部に繰り出されてゆくテープＴに印刷を行う印刷部３３，３４と、印刷部３３，３４に隣接して配設され、テープＴをストックする少なくとも１つのストック部３と、を備え、ストック部は、テープＴを装置外部に繰出し可能にストックすると共に、繰り出したテープＴの繰出し部分を切断するカッター５２を有しているものである。【選択図】図１
2012006294.tif 000002
【特許請求の範囲】
【請求項１】
ロール状のテープを着脱自在に収容すると共に、装置外部に繰り出されてゆく前記テープに印刷を行う印刷部と、
前記印刷部に隣接して配設され、前記テープをストックする少なくとも１つのストック部と、を備え、
前記ストック部は、前記テープを装置外部に繰出し可能にストックすると共に、繰り出した前記テープの繰出し部分を切断するカッターを有していることを特徴とする印刷機能付きテープディスペンサー。
【請求項２】
前記ストック部は、前記テープを軸方向から装填した状態で保持するストック軸部を、更に有し、
前記カッターは、前記ストック軸部に平行に配設されていることを特徴とする請求項１に記載の印刷機能付きテープディスペンサー。
【請求項３】
前記ストック軸部は、水平に延在していることを特徴とする請求項２に記載の印刷機能付きテープディスペンサー。
【請求項４】
前記ストック部は、前記テープを収容するドロップイン形式により構成されていることを特徴とする請求項１に記載の印刷機能付きテープディスペンサー。
【請求項５】
前記ストック部は、箱状に形成され、
前記カッターは、前記収容部において前記テープの周面が接する少なくとも一面に設けられていることを特徴とする請求項４に記載の印刷機能付きテープディスペンサー。
【請求項６】
前記印刷部と前記ストック部とは、隣り合って配設されていることを特徴とする請求項１ないし５のいずれかに記載の印刷機能付きテープディスペンサー。
【請求項７】
前記印刷部および前記ストック部の下側に配設された装置ベースを、更に備え、
前記装置ベースは、電源となるバッテリーを収容するバッテリー収容部を有していることを特徴とする請求項６に記載の印刷機能付きテープディスペンサー。
【請求項８】
印刷データを入力するキーボードと、前記印刷データを表示するディスプレイと、を更に備え、
前記キーボードおよび前記ディスプレイは、前記印刷部および前記ストック部に対し表裏の位置関係となるように配設され、
前記キーボードは、操作位置と収納位置との間で、前記装置ベースに起倒自在に取り付けられていることを特徴とする請求項７に記載の印刷機能付きテープディスペンサー。
【発明の詳細な説明】
【技術分野】
【０００１】
本発明は、複数のテープを収容可能に構成した印刷機能付きテープディスペンサーに関するものである。
【背景技術】
【０００２】
従来、この種の印刷機能付きテープディスペンサーではないが、テープおよびインクリボンを格納した複数のテープカートリッジを収容可能に構成し、収容されたテープのうち、任意の１のテープに印刷データを印刷するテープ印刷装置が知られている（特許文献１参照）。
このテープ印刷装置は、装置内の装着位置に複数のテープカートリッジを収容可能に構成したカートリッジ装着部と、印刷位置で印刷テープに印刷を行うテープ印刷手段と、印刷テープの印刷済み部分を切断するテープ切断手段と、装着位置および印刷位置の間で、任意の１のテープカートリッジを搬送するカートリッジ搬送手段と、を備えている。
この場合、カートリッジ搬送手段により、印刷に供する任意の１のテープカートリッジを装着位置から印刷位置に移動させる。そして、テープ印刷手段により、印刷位置のテープに印刷データが印刷される。印刷後のテープカートリッジは、カートリッジ搬送手段により、印刷位置から装着位置に戻される。
【先行技術文献】
【特許文献】
【０００３】
【特許文献１】特開２００１−１３００５８号公報
【発明の概要】
【発明が解決しようとする課題】
【０００４】
しかしながら、このようなテープ印刷装置では、複数のテープカートリッジが装置内に収容されているため、手書き用等の印刷なしでテープを使用する場合には、テープカートリッジをカートリッジ装着部から取り外して、テープのみを引き出しカットすることになり、印刷なしのテープ片を頻繁に必要とする場合に取り扱いが煩雑になるという問題があった。
【０００５】
本発明は、収容した複数のテープから、印刷なしのテープ片を簡単に得ることができる印刷機能付きテープディスペンサーを提供することを課題としている。
【課題を解決するための手段】
【０００６】
本発明の印刷機能付きテープディスペンサーは、ロール状のテープを着脱自在に収容すると共に、装置外部に繰り出されてゆくテープに印刷を行う印刷部と、印刷部に隣接して配設され、テープをストックする少なくとも１つのストック部と、を備え、ストック部は、テープを装置外部に繰出し可能にストックすると共に、繰り出したテープの繰出し部分を切断するカッターを有していることを特徴とする。
【０００７】
この構成によれば、装置外部に繰出し可能にストックされたテープから任意のテープを繰り出し、その繰出し部分を、ストック部に設けたカッターで切断することにより、テープを収容した状態であっても、任意のテープの印刷なしのテープ片を簡単に得ることができる。また、印刷部およびストック部が隣接して配設されているため、ストック部にストックされたテープを簡単に印刷部にセットすることができ、セットしたテープに所望の印刷を行うことができる。
【０００８】
この場合、ストック部は、テープを軸方向から装填した状態で保持するストック軸部を、更に有し、カッターは、ストック軸部に平行に配設されていることが好ましい。
【０００９】
この構成によれば、テープを、ストック軸部に軸方向から装填する構造であるため、複数のテープを簡単且つスペース効率良く収容することができる。また、テープをストック軸部から、簡単に取り外すことができる。さらに、ストック軸部から直交方向に繰り出されたテープは、そのままカッターブの切っ先に臨むため、無理なく切断することができる。
【００１０】
この場合、ストック軸部は、水平に延在していることが好ましい。
【００１１】
この構成によれば、ストック軸部へのテープの着脱動作、ストック軸部に装着したテープの繰出し動作および繰り出したテープの切断動作を、人間工学的に無理の無い作業動作とすることができる。また、テープが自重によりストック軸部から脱落することを防止できる。
【００１２】
この場合、ストック部は、テープを収容するドロップイン形式により構成されていることが好ましい。
【００１３】
この構成によれば、テープを、適正な姿勢で簡単に収容することができると共に、簡単に取り出すことができる。特に、テープを取り出す場合に、他のテープを一度取り出す等の動作を必要としない。また、ストック部の構造を単純化することができる。
【００１４】
この場合、ストック部は、箱状に形成され、カッターは、収容部においてテープの周面が接する少なくとも一面に設けられていることが好ましい。
【００１５】
この構成によれば、カッターを適切な位置に簡単に形成することができると共に、ストック部の構造を単純化することができる。
【００１６】
この場合、印刷部とストック部とは、隣り合って配設されていることが好ましい。
【００１７】
この構成によれば、印刷部およびストック部の間で簡単にテープを移動することができると共に、装置全体をコンパクトに構成することができる。
【００１８】
この場合、印刷部およびストック部の下側に配設された装置ベースを、更に備え、装置ベースは、電源となるバッテリーを収容するバッテリー収容部を有していることが好ましい。
【００１９】
この構成によれば、装置ベースにバッテリー収容部を設けているため、スペース効率を向上させることができる。また、装置ベースが、印刷部およびストック部の下側に配設されているため、装置全体として重心が下がり、安定性を向上させることができる。
【００２０】
この場合、印刷データを入力するキーボードと、印刷データを表示するディスプレイと、を更に備え、キーボードおよびディスプレイは、印刷部およびストック部に対し表裏の位置関係となるように配設され、キーボードは、操作位置と収納位置との間で、装置ベースに起倒自在に取り付けられていることが好ましい。
【００２１】
この構成によれば、装置全体をコンパクトに構成することができる。
【図面の簡単な説明】
【００２２】
【図１】本願発明の実施形態に係る印刷機能付きテープディスペンサーを正面から見た斜視図である。
【図２】本願発明の実施形態に係る印刷機能付きテープディスペンサーを裏面から見た斜視図である。
【図３】本願発明の第１実施形態に係る印刷機能付きテープディスペンサーの分解斜視図である。
【図４】第１実施形態に係るストック部におけるテープの繰出し動作の説明図である。
【図５】第２実施形態に係るストック部の斜視図である。
【図６】第２実施形態に係るストック部におけるテープの繰出し動作の説明図である。
【発明を実施するための形態】
【００２３】
以下、添付した図面を参照して、本発明の一実施形態に係る印刷機能付きテープディスペンサーについて説明する。この印刷機能付きテープディスペンサー（以下、単に「テープディスペンサー」と言う。）は、同種・異種を問わず複数個のテープ（主に、装飾テープ）を、供給可能にストックすると共に、印刷部にセットした任意の１のテープを、手動で引き出すことによりテープに所望の印刷を実施するものである。
【００２４】
図１ないし図３に示すように、テープディスペンサー１は、ロール状のテープＴを着脱自在に収容すると共に、装置外部に引き出されてゆくテープＴに印刷を行う印刷部２と、複数個のテープＴをストックすると共に、ストックしたテープＴを適宜引き出してカットするためのカッター５２を有するストック部３と、印刷部２およびストック部３の下側に配設された装置ベース４と、テープＴに印刷する印刷データを入力するためのキーボード５と、入力した印刷データを表示するディスプレイ６と、頻繁に使用する印刷データをキーボード５なしで呼び出すための操作パネル７と、を備えている。
【００２５】
装置ベース４には、電源となるバッテリー（例えば、複数の乾電池）１２を収容するバッテリー収容部１１が内部に作り込まれている。バッテリー１２は、下側から着脱するようになっており、図示のものではバッテリー収容部１１を開閉する裏蓋が省略されている。
【００２６】
キーボード５は、その奥側を、ヒンジ（図示省略）を介して、装置ベース４の前部（表側）に起倒自在に取り付けられている。すなわち、キーボード５は、倒した状態の操作位置と、起立させた状態の収納位置と、の間で回動自在に構成されている。そして、収納位置に回動したキーボード５は、一方の半部が印刷部２の背面に接し、他方の半部がストック部３の表側（前側）を覆うようになっている。
【００２７】
印刷部２は、回路基板１６や各種の機構から成る印刷装置部１７を収容した前側ケース部１３と、テープＴおよびインクリボンＲを格納したリボンカセット１８が装着される後側ケース部１４と、後側ケース部１４の後開口部を開閉する後蓋１５と、を有している。前側ケース部１３および後側ケース部１４は、隔板１９で仕切られ、装置ベース４上に立設するように搭載されている。後蓋１５は、その下端部を図外のヒンジを介して、装置ベース４に回動自在に取り付けられ、引き倒すことにより、後側ケース部１４の後開口部を開放する。
【００２８】
前側ケース部１３の外側上部には、斜め前方を向くように横長のディスプレイ６が、前面左側には、縦長の操作パネル７がそれぞれ設けられ、左上端部には、後述する電源操作レバー２０が配設されている。操作パネル７には、上下方向に複数のショートカットボタン２１が列設されており、頻繁に使用する印刷データを回路基板１６のメモリから直接呼び出せるようになっている。
【００２９】
図２および図３に示すように、後側ケース部１４の内部には、上側のリボン装着部２３および下側のテープ装着部（テープ収容部）２４から成る装着部２２が、窪入形成されている。また、後側ケース部１４の左側部に相当する部分には、切断機構２５が配設されており、切断機構２５の上側には、テープＴを引き出すための引出し口２６が形成されている。
【００３０】
テープ装着部２４には、その中心位置に軸状突起３１が突設されており、この軸状突起３１に、テープコアを嵌め込むようにしてテープＴが着脱自在に装着される。一方、リボン装着部２３には、隔板１９を貫通するようにして、インクリボンＲを巻取るリボン巻取り軸３２、ヘッドカバー３５で覆われた印刷ヘッド３３およびプラテンカバー３６に覆われたプラテン３４が、突設されている。リボン装着部２３は、リボンカセット１８と相補的形状に形成されており、リボンカセット１８はリボン装着部２３の内周面をガイドにして、リボン装着部２３に着脱自在に装着される。テープＴを引き出しておいて、テープコアを軸状突起３１に装着した後、テープＴの繰出し端部をプラテン３４（印刷ヘッド３３）および引出し口２６に臨ませて、テープＴを装着し、続いてリボンカセット１８を装着する。この状態で、テープＴの繰出し端部とインクリボンＲが、印刷ヘッド３３とプラテン３４との間で重なった状態となる。なお、請求項にいう印刷部は、印刷ヘッド３３およびプラテン３４から構成されている。
【００３１】
後蓋１５は、下端部を中心に回動自在に軸支されており、開放状態において、テープＴおよびリボンカセット１８の着脱を許容する。一方、閉蓋状態において、テープＴおよびリボンカセット１８の脱落を阻止する。また、後蓋１５の切断機構２５側の辺には、半円形の切欠き部４１が形成されている。そして、この切欠き部４１は、切断機構２５に指を引っかけるための指掛空間４２を構成している。
【００３２】
リボンカセット１８は、インクリボンＲと、インクリボンＲを繰出すリボン繰出しリール４３と、インクリボンＲを巻取るリボン巻取りリール４４と、インクリボンＲを印刷ヘッド３３に臨ませるリボンガイド４５と、これらを収容するカセットケース４６と、から構成されている。リボン繰出しリール４３およびリボンガイド４５は、カセットケース４６の両端部に配設されている。また、リボン巻取りリール４４は、カセットケース４６の中央部に配設されている。リボンカセット１８は、リボン装着部２３に装着することで、リボン巻取りリール４４がリボン巻取り軸３２に係合し、リボンガイド４５がヘッドカバー３５を覆って、これに周回させたインクリボンＲを印刷ヘッド３３とプラテン３４との間に臨ませる。テープＴを引き出すことにより、プラテン３４およびリボン巻取り軸３２が同期して回転し、印刷ヘッド３３およびプラテン３４の間に挟み込まれたテープＴおよびインクリボンＲが併走するようになっている。
【００３３】
テープＴは、テープコアに対してロール状に巻回したものであり、裏面に粘着剤層を有する粘着テープと、裏面に粘着剤層と剥離紙を有する剥離紙付き粘着テープとが用意されており、いずれも表面に印刷が可能な、いわゆる装飾テープで構成されている。
【００３４】
図１、図２および図４に示すように、ストック部３は、複数のテープＴを軸方向から装填可能な複数（本実施形態では２つ）のストック軸部５１と、ストック軸部５１の前方にストック軸部５１と平行に配設された複数（本実施形態では上下２つ）のカッター５２と、を有している。２つのストック軸部５１は、上記した後側ケース部１４の側面に片持ちで取り付けられており、平行に且つ水平に延在している。複数のテープＴは、各ストック軸部５１に軸方向から装填され、且つストック軸部５１に回転可能に保持される。すなわち、各ストック軸部５１は、複数のテープＴを装置外部に繰り出し可能にストックする。なお、本実施形態のものでは、ストック部３は、上下に２段で構成され、４個ずつ計８個のテープＴをストックできるものである。
【００３５】
各カッター５２は、各ストック軸部５１に平行に配設した刃先（切っ先）５３を有するカッティングブレードで構成されており、前側ケース部１３の側面から水平に延在している。各カッター５２の刃先５３は、上向きに且つ水平方向に延在し、鋸刃状に構成されている（図示省略）。また、刃先５３の近傍には、上下することで刃先５３を出し入れする安全カバー（図示省略）が取り付けられている。各テープＴの繰出し部分は、所定量引き出され（繰出され）、刃先５３に押し付けるようにして切断される。なお、刃先５３は、直線状に構成されていてもよい（図示省略）。
【００３６】
このように、本実施形態のストック部３によれば、水平に配設したストック軸部５１およびカッター５２を有しているため、テープＴを回転自在に保持すると共に、テープＴを簡単に着脱することができる。また、複数のテープＴのうち、任意のテープＴを繰り出して切断し、印刷なしのテープ片を容易に得ることができる。また、ストック部３にストックされたテープＴを簡単に印刷部２にセットすることができ、所望の印刷を実施することができる。
【００３７】
次に、図５および図６を参照して、本発明の第２実施形態にかかるストック部３について説明する。このストック部３は、複数個のテープＴを起立姿勢で横並びに収容するドロップイン形式の上下２段の収容部５０を有している。収容部５０は、水平な仕切り板５６により、上収容部５４と下収容部５５とに仕切られて、それぞれ箱状に形成されており、上下各収容部５４，５５にそれぞれ複数のテープＴが収容可能に構成されている。
【００３８】
収容部５０の前面は、上収容部５４を構成する上側面板６１と、上側面板６１の下側に離間して配設され、下収容部５５を構成する下側面板６２と、により構成されている。収容部５０の左端面は、上記の前側ケース部１３の左側面および後側ケース部１４の左側面を一部に含む左端面板６４により構成されている。また、収容部５０の右側面は、左端面板６４と同形の右端面板６５で構成されている。さらに、収容部５０の下面は、装置ベース４を一部に含む底面板６８により構成されている。テープＴは、開閉蓋６９を倒すように回動させて上収容部５４および下収容部５５を開放してテープＴの投入および取出しを可能にしている。これにより、収容したテープＴは、３カ所で収容部５０の内面に当接支持されている。なお、上側面板６１および仕切り板５６のコーナー部分、あるいは下側面板６２および底面板６８のコーナー部分は、接していてもよいし、間隙を有していてもよい。
【００３９】
上側面板６１および下側面板６２は、前側ケース部１３の側面から水平に延在しており、上側面板６１および下側面板６２の上側には、繰出したテープＴの繰出し部分を切断するカッター５２がそれぞれ設けられている。各カッター５２は、テープＴの回転軸と平行に配設した刃先５３を有し、刃先５３は、各側面板６１（６２）の上端部に形成されている。すなわち各カッター５２は、収容部５０の一部材を兼ねている。
【００４０】
開閉蓋６９は、開放状態において、テープＴの着脱を行い、閉蓋状態において、テープＴの脱落を防止する。開閉蓋６９の下端部は、両端面板６４，６５の後側下端部に、回動自在に軸支されている。
【００４１】
以上のように、本実施形態によれば、ストック部３は、ドロップイン形式に構成されているため、簡単にテープＴの着脱ができる。また、複数のテープＴのうち、任意のテープＴを繰り出して切断し、印刷なしのテープ片を容易に得ることができる。
【００４２】
なお、開閉蓋６９は、上記の後蓋１５と一体に形成されていてもよい。また、開閉蓋６９は、上収容部５４と下収容部５５とで、個別に形成されていてもよい。更に、開閉蓋６９に代えて、この部分に腰板（側面板）を設け、上収容部５４については、上方からテープＴを投入し、下収容部５５に対しては、後方（仕切り板５６と腰板との間の開口部）からテープＴを投入するようにしてもよい。
【符号の説明】
【００４３】
１…テープディスペンサー  ２…印刷部  ３…ストック部  ４…装置ベース  ５…キーボード  ６…ディスプレイ  １１…バッテリー収容部  １２…バッテリー  ５２…カッター  ５１…ストック軸部  Ｔ…テープ
【図１】
2012006294.tif 000003
【図２】
2012006294.tif 000004
【図３】
2012006294.tif 000005
【図４】
2012006294.tif 000006
【図５】
2012006294.tif 000007
【図６】
2012006294.tif 000008